(57)【要約】      （修正有）【課題】ドア枠に取り付けるピボット軸受け具にピボット軸を仮止めし、その後、本固定することにより、１人で簡単にドアの吊り込みができるピボットヒンジを提供する。【解決手段】枠側プレート３は、ドア枠に固定する基板部３２と、この基板３２に対して直角に伸びるフック部３３を有する。フック部は、ドア枠側方に伸びる第１湾曲爪３４を先端に有する。上部プレート４は、前記フック部の上側に隣接して内部室４２を形作っている。前記内部室に、吊り込みプレート５、ロックプレート６、及びバネが設けられている。前記吊り込みプレートは、スライド運動可能であって、先端に第２湾曲爪５２を有する。固定された第１湾曲爪３４と、スライド可能な第２湾曲爪５２によりピボット軸の捕捉が可能である。【選択図】図３
2014159708.tif 000002
【特許請求の範囲】
【請求項１】
上側のドア側ヒンジ（１）と上側のドア枠側ヒンジ（２）とからなるピボットヒンジであって、
前記上側のドア枠側ヒンジ（１）は、基端（１１）がドア（Ｄ）に固定され、先端がドア（Ｄ）の側方へ張り出しており、その張り出し部分（１３）にピボット軸（１４）が設けられており、
前記上側のドア側ヒンジ（２）は、枠側プレート（３）と上部プレート（４）を有し、
前記枠側プレート（３）は、ドア枠（Ｆ）に固定する基板部（３２）と、この基板部（３２）に対して直角に伸びるフック部（３３）を有し、
前記フック部（３３）は、ドア枠側方に伸びる第１湾曲爪（３４）を先端に有し、
前記上部プレート（４）は、前記フック部（３３）の上側に隣接して内部室（４２）を形作っており、
前記内部室（４２）に、吊り込みプレート（５）、ロックプレート（６）、及びバネ（７）が設けられており、
前記吊り込みプレート（５）は、スライド運動可能であって、先端に第２湾曲爪（５２）を有し、
固定された前記第１湾曲爪（３４）と、スライド可能な前記第２湾曲爪（５２）により前記ピボット軸（１４）の捕捉が可能であり、
前記ロックプレート（６）と前記バネ（７）が、前記吊り込みプレート（５）の移動を制御する
ことを特徴とするピボットヒンジ。
【請求項２】
前記吊り込みプレート（５）は、前記第２湾曲爪（５２）の内方側基部に第１突起（５３）を、外方側基部に第１段部（５４）を、本体後端部に内方側第２突起（５５）をそれぞれ有し、
前記ロックプレート（６）は、先端に細いアーム（６１）を、中央に操作用ビス（６２）を、後端に係合穴（６３）を有するプレートであり、
前記バネ（７）の押圧力により前記吊り込みプレート（５）が仮固定される
請求項１記載のピボットヒンジ。
【請求項３】
請求項２記載の仮固定位置で前記先端アーム（６１）と前記第２突起（５５）を係合させて本固定が可能である請求項２記載のピボットヒンジ。
【請求項４】
前記内部室（４２）に、吊り込みプレート制御用突起（４６）とロックプレート制御用突起（４７）が設けられており、前記吊り込みプレート（５）のスライド運動が、前方方向には、前記第２突起（５５）が前記吊り込みプレート制御用突起（４６）に当接することで制約され、後方方向には前記第１突起（５３）が前記吊り込みプレート制御用突起（４６）に当接することで制約されている請求項１〜３のいずれかに記載のピボットヒンジ。
【請求項５】
ドア側とドア枠側の前記ピボットヒンジ（２，３）を結合させたとき、前記第１湾曲爪（３４）と前記第２湾曲爪（５２）を隠す形状のカバー（８）を有する請求項１〜４のいずれかに記載のピボットヒンジ。
【発明の詳細な説明】
【技術分野】
【０００１】
本発明は、建物のドア及びドア枠の戸尻側上下にドアを回動自在に取り付けるために使用するピボットヒンジに関し、そのうち特に上側ピボットヒンジに関する。
【背景技術】
【０００２】
従来の上側ピボットヒンジは、たとえば特開２００８―３８３４５に示すようなものである。このピボットヒンジは、ドア枠側ヒンジとドア側ヒンジを有している。ドア枠側ヒンジは、基端がドア枠の上辺部にビスで固定され、ドア枠の側方へ張り出している。ドア側ヒンジは、基端がドアの上端にビスで固定され、先端がドアの側方へ張り出しており、その張り出し部分にピボット軸を有している。結合時には、ドア側ヒンジのピボット軸をドア枠側の軸孔にねじ込んでピボット軸を軸孔にはめ込んで固定する。
【先行技術文献】
【特許文献】
【０００３】
【特許文献１】特開２００８―３８３４５
【発明の概要】
【発明が解決しようとする課題】
【０００４】
この従来のピボットヒンジは、一人がドアを吊り込みながら支え、もう一人がドア側ヒンジの下方からピボット軸をねじ込むので、２人以上の人手が必要であった。
【０００５】
本発明は、この点に鑑み案出されたもので、ドア枠に取り付けるピボット軸受け具にピボット軸を水平方向より接近させて抱き込み係合状態に仮止めし、その後、本固定することにより、１人で簡単にドアの吊り込みができるピボットヒンジを提供することを目的としている。
【課題を解決するための手段】
【０００６】
本発明のピボットヒンジは、上側のドア側ヒンジ１と上側のドア枠側ヒンジ２とからなり、前記上側のドア枠側ヒンジ１は、基端１１がドアＤの上端にビス１２で固定され、先端がドアＤの側方へ張り出しており、その張り出し部分１３にピボット軸１４が設けられており、前記上側のドア側ヒンジ２は、枠側プレート３と上部プレート４を有し、前記枠側プレート３は、ドア枠Ｆに固定する基板部３２と、この基板３２に対して直角に伸びるフック部３３を有し、前記フック部３３は、ドア枠側方に伸びる第１湾曲爪３４を先端に有し、前記上部プレート４は、前記フック部３３の上側に隣接して内部室４２を形作っており、前記内部室４２には、吊り込みプレート５、ロックプレート６、及びバネ７が設けられており、前記吊り込みプレート５は、スライド可能であって、先端に第２湾曲爪５２を有し、固定された前記第１湾曲爪３４と、スライド可能な第２湾曲爪５２により前記ピボット軸１４の捕捉が可能であり、前記ロックプレート６と前記バネ７が、前記吊り込みプレート５の移動を制御することを特徴とする（請求項１）。
【０００７】
好ましくは、前記吊り込みプレート５は、前記第２湾曲爪５２の内方側基部に第１突起５３を、外方側基部に第１段部５４を、本体後端部に内方側第２突起５５をそれぞれ有し、前記ロックプレート６は、先端に細いアーム６１を、中央に操作用ビス６２を、後端に係合穴６３を有するプレートであり、前記バネの押圧力により前記吊り込みプレートが仮固定される。（請求項２）その仮固定位置で前記先端アーム６１と前記第２突起５５を係合させて本固定が可能である（請求項３）。
【０００８】
また、好ましくは、前記内部室４２に、吊り込みプレート制御用突起４６とロックプレート制御用突起４７が設けられており、前記吊り込みプレート５のスライド運動が、前方方向には、前記第２突起５５が前記吊り込みプレート制御用突起４６に当接することで制約され、後方方向には前記第１突起５３が前記吊り込みプレート制御用突起４６に当接することで制約されている（請求項４）。
【０００９】
また、好ましくは、ドア側とドア枠側の前記ピボットヒンジ２，３を結合させたとき、前記第１湾曲爪３４と前記第２湾曲爪５２を隠す形状のカバー８を有する（請求項５）。
【発明の効果】
【００１０】
本発明によれば、ドア側とドア枠側のピボットヒンジを結合させるとき、作業員がドア側ヒンジ１のピボット軸１４をドア枠側ヒンジ２の第１湾曲爪３４に挿入する。すると、ドアの加重で、吊り込みプレート５が先端方向に移動する。ここで、いったんは、ねじりバネ７の抵抗を受ける。その抵抗力に抗して第２突起５５が前進すると、バネ脚７１はその力に負けて前進を許容し、今度は第２突起５５の頭部を押圧するようになる。この状態が仮固定状態であり、その後、前記先端アーム６１と前記第２突起５５を係合させることにより本固定することができる。したがって、作業員１人でも簡単にドアの吊り込みができる
【００１１】
以下、添付の図面に基づき、本発明の実施例を説明する。
【図面の簡単な説明】
【００１２】
【図１】ドア及びドア枠の戸尻側上部に取り付けたピボットヒンジの各段階の斜視図を示すもので、（ａ）はドア枠側ピボットヒンジを取り付ける前、（ｂ）は取り付けた後、（ｃ）はドア側ピボットヒンジを接近させた状態、（ｄ）はドア側及びドア枠側ピボットヒンジを接合させた状態、（ｅ）はカバーをかぶせた状態を示す。
【図２】ドア枠側ピボットヒンジの分解斜視図である。
【図３】ドア枠側ピボットヒンジの組立状態の斜視図であり、（ａ）は第２湾曲爪が第１湾曲爪に固定されていない状態、（ｂ）は固定されている状態である。
【図４】上部プレートの（ａ）平面図、（ｂ）左側面図、（ｃ）正面図、（ｄ）右側面図、（ｅ）底面図、（ｆ）背面図、（ｇ）Ｘ−Ｘ断面図である。
【図５】吊り込みプレートの（ａ）平面図、（ｂ）正面図である。
【図６】ロックプレートの（ａ）平面図、（ｂ）正面図、（ｃ）Ｙ−Ｙ断面図である。
【図７】ドア側及びドア枠側ピボットヒンジの接合を説明するための断面図であり、（ａ）は接合前、（ｂ）は接合完成時である。
【図８】上部プレート内部における吊り込みプレートとロックプレートの動きを説明するための底面図であり、（ａ）は未係合状態、（ｂ）は係合状態である。
【発明を実施するための形態】
【００１３】
ピボットヒンジは、周知のように、建物のドアＤ及びドア枠Ｆの戸尻側上下にドアＤを回動自在に取り付けるために使用される。上側ピボットヒンジは、図１に示すように、ドア側ヒンジ１とドア枠側ヒンジ２を有している。
【００１４】
ドア側ヒンジ１は、従来技術と同じであり、基端１１がドアＤの上端にビス１２で固定され、先端がドアＤの側方へ張り出しており、その張り出し部分１３にピボット軸１４が設けられている。
【００１５】
本発明の特徴はドア枠側ピボットヒンジ２にある。図１〜３に示す１実施例のドア枠側ピボットヒンジ２は、枠側プレート３と上部プレート４を有する。
【００１６】
枠側プレート３は、ドア枠Ｆにビス３１（図１）で密着固定する基板部３２と、この基板３２に対して直角に伸びるフック部３３を一体形成してなる。フック部３３は、ドア枠側方に伸びる第１湾曲爪３４を先端に有する。
【００１７】
上部プレート４は、枠側プレート３の第１湾曲部３４を除いた部分とほぼ同一形状であり、フック部３３の上側に隣接してビス４１で取り付けられる。上部プレート４には、下部に窪み（図４）が形成されており、この窪みはフック部３３との間で、一方が開口した内部室４２を形作っている。この内部室４２には、吊り込みプレート５、ロックプレート６、及びねじりバネ７が収容されている。これらの部品の位置を確保するために、内部室４２には吊り込みプレート制御用突起４６とロックプレート制御用突起４７が設けられている。図４（ｅ）の符号４９は、ねじりバネ７が収容しやすいように設けられた浅い溝である。
【００１８】
吊り込みプレート５は、細長い本体５１と、本体先端の第２湾曲爪５２を有する。第２湾曲爪５２の内方側基部に第１突起５３を、外方側基部に第１段部５４を、本体後端部に内方側第２突起５５をそれぞれ有する。吊り込みプレート５はスライド運動が可能であるが、その範囲は、前方方向には、第２突起５５が吊り込みプレート制御用突起４６に当接することで制約され、後方方向には第１突起５３が吊り込みプレート制御用突起４６に当接することで制約される。左右方向には窪み壁部と吊り込みプレート制御用突起４６により制約されている。
【００１９】
ロックプレート６は、先端に細いアーム６１を、中央に操作用ビス６２を、後端に係合穴６３を有するプレートである。係合穴６３はロックプレート制御用突起４７に嵌合しているので、ロックプレート６先端は制約のないときには搖動が可能である。
【００２０】
ロックプレート制御用突起４７には、２本の脚７１を突出させたねじりバネ７も取り付けられている。脚７１の両末端７２は、図２に示すように直角に折れ曲がって接触部分を増やしている。図８に示すように、脚７１の一方は窪み壁部により事実上固定され、他方の脚は第２突起５５を押圧可能である。すなわち、第２突起５５は、いったんは脚末端７２により前進が止められるが、ある程度強く押されると、その力に負けて前進を許容し、今度は第２突起５５の頭部を押圧するようになる（図８（ｂ））。
【００２１】
上部プレート４をビス４１によりフック部３３に固定して内部室４２を形成したとき、この内部室４２から第２湾曲爪５２が前後動可能である。そのため、次記する機構により、不動の第１湾曲爪３４と可動の第２湾曲爪５２の間で爪の内部にピボット軸１４をロックすることができる（図８）。
【００２２】
ドア側とドア枠側のピボットヒンジ２，３を結合させるとき、作業員がドア側ヒンジ１のピボット軸１４をドア枠側ヒンジ２の第１湾曲爪３４に挿入する。すると、ドアの加重で、吊り込みプレート５が先端方向に移動する。ここで、いったんは、ねじりバネ７の抵抗を受ける。
【００２３】
その抵抗力に抗して第２突起５５が前進すると、バネ脚７１はその力に負けて前進を許容し、今度は第２突起５５の頭部を押圧するようになる。この状態が仮固定状態である。
【００２４】
この仮固定の状態でも使用可能であるが、バネの力はそれほど強いものではないので、何かのはずみで両者の当接状態が外れる可能性があり、本固定が望ましい。そのためには、操作ビス６２を指や工具で操作してロックプレートの先端アーム６１を移動させ、吊り込みプレート５の第２突起５５とクサビ状に係合させる。その位置で操作ビス６２を締めて、ロックプレート６を上部プレート４に固定する（図７（ｂ）、図８（ｂ））。その目的で、上部プレート４には固定予定位置でビス穴４８を設けておく。
【００２５】
必要があってドアＤを外すときは、まず、操作ビス６２を緩めてロックプレート６を搖動可能とする。操作ビス６頭部を指や工具で操作して先端アーム６１を解除位置に移動させる。この状態で、吊り込みプレート５も移動可能となり、第１湾曲爪３４に対して、第２湾曲爪５２が移動可能となり、ピボット軸１４の固定が解除され、ドアの取り外しが可能となる。
【００２６】
ドア側とドア枠側のピボットヒンジ２，３を結合させたとき、第１湾曲爪３４と第２湾曲爪５２が外から見えるので、美観の観点から、これらを隠す形状のカバー８をかぶせることが好ましい（図１（ｄ）、図２、図８（ｂ））。
【符号の説明】
【００２７】
１     ドア側ヒンジ
１１   基端
１２   ビス
１３   張出部分
１４   ピボット軸
２     ドア枠側ヒンジ
３     枠側プレート
３１   ビス
３２   基板部
３２   基板
３３   フック部
３４   第１湾曲爪
４     上部プレート
４１   ビス
４２   内部室
４６   プレート制御用突起
４７   ロックプレート制御用突起
４８   ビス穴
４９  浅い溝
５     吊り込みプレート
５１   本体
５２   第２湾曲爪
５３   第１突起
５４   段部
５５   第２突起
６     ロックプレート
６１   先端アーム
６２   操作用ビス
６３   係合穴
７     バネ
８     カバー
７１   脚
７２  脚末端
Ｄ     ドア
Ｆ     ドア枠
【図１】
2014159708.tif 000003
【図２】
2014159708.tif 000004
【図３】
2014159708.tif 000005
【図４】
2014159708.tif 000006
【図５】
2014159708.tif 000007
【図６】
2014159708.tif 000008
【図７】
2014159708.tif 000009
【図８】
2014159708.tif 000010